(57)【要約】【課題】広く一般に対して利用者に適した情報を簡単に提供することができる記録媒体配付システムおよび記録媒体配付方法を提供する。【解決手段】記録媒体配付システム１は複数の利用者の端末および複数の出稿者の端末が接続されたインターネットなどのコンピュータネットワーク２に接続して用いられる。記録媒体配付システム１は、受付手段３０により、配付注文の申し込みと、掲載依頼の申し込みとについて、利用者の使用条件と出稿者の出稿条件とが一致するものを探し、一致するものが見つかった場合に、その配付注文および掲載依頼を受ける。【選択図】図２
2010026612.tif 000002
【特許請求の範囲】
【請求項１】
コンピュータネットワークを用いて記録媒体の配付を希望する利用者に記録媒体を配付する記録媒体配付システムであって、
記録媒体の配付を希望する利用者から、記録媒体の配付注文の申し込みを受ける配付注文手段と、
記録媒体の裏面に情報の掲載を希望する出稿者から、記録媒体への情報掲載の依頼の申し込みを受ける掲載依頼手段と、
前記配付注文手段により受けた配付注文の申し込みと、前記掲載依頼手段により受けた掲載依頼の申し込みとについて、利用者の使用条件と出稿者の出稿条件とが一致するものを探し、一致するものが見つかった場合に、その配付注文および掲載依頼を受ける受付手段と
を備えたことを特徴とする記録媒体配付システム。
【請求項２】
前記受付手段は、利用者の使用条件として利用者が記録媒体を使用する使用地域および利用者の業種・業態の少なくとも一方と、出稿者の出稿条件として記録媒体を配付する出稿地域および利用者の業種・業態の少なくとも一方とについて、利用者の使用地域と出稿者の出稿地域、および利用者の業種・業態のうちの少なくとも一方の条件が一致するものを探すことを特徴とする請求項１記載の記録媒体配付システム。
【請求項３】
前記受付手段は、
配付注文の申し込みを記憶する配付注文申し込みテーブルと、
掲載依頼の申し込みを記憶する掲載依頼申し込みテーブルと、
前記配付注文手段により受けた配付注文の申し込みについて、前記掲載依頼申し込みテーブルを参照して利用者の使用条件と出稿者の出稿条件とが一致するものを検索し、一致するものが見つかった場合に、その配付注文を受け付け、一致するものが見つからなかった場合には、配付注文申し込みテーブルに記録する配付注文受付手段と、
前記掲載依頼手段により受けた掲載依頼の申し込みについて、前記配付注文申し込みテーブルを参照して利用者の使用条件と出稿者の出稿条件とが一致するものを検索し、一致するものが見つかった場合に、その掲載依頼を受け付け、一致するものが見つからなかった場合には、掲載依頼テーブルに記録する掲載依頼受付手段と
を備えたことを特徴とする請求項１または請求項２記載の記録媒体配付システム。
【請求項４】
出稿者からの要求に応じ、記録媒体の配付注文の申し込み状況を表示する注文状況表示手段を備えたことを特徴とする請求項１から請求項３のいずれか１に記載の記録媒体配付システム。
【請求項５】
前記受付手段により掲載依頼を受けた場合に、出稿者に出稿料を課す課金手段を備えたことを特徴とする請求項１から請求項４のいずれか１に記載の記録媒体配付システム。
【請求項６】
コンピュータネットワークを用いて記録媒体の配付を希望する利用者に記録媒体を配付する記録媒体配付方法であって、
コンピュータにより、記録媒体の配付を希望する利用者から、記録媒体の配付注文の申し込みを受ける配付注文手順と、
コンピュータにより、記録媒体の裏面に情報の掲載を希望する出稿者から、記録媒体への情報掲載の依頼の申し込みを受ける掲載依頼手順と、
コンピュータにより、配付注文の申し込みと、掲載依頼の申し込みとについて、利用者の使用条件と出稿者の出稿条件とが一致するものを探し、一致するものが見つかった場合に、その配付注文および掲載依頼を受ける受付手順と
を含むことを特徴とする記録媒体配付方法。
【発明の詳細な説明】
【技術分野】
【０００１】
本発明は、コンピュータネットワークを用いて記録媒体の配付を希望する利用者に記録媒体を配付する記録媒体配付システムおよび記録媒体配付方法に関する。
【背景技術】
【０００２】
近年、街頭または店頭等でフリーペーパーの頒布による情報提供が行われている。フリーペーパーは何人も手軽に手にすることができるので、広く情報を頒布することができる一方で、利用者にとっては、自分に有益な情報のみならず、あまり有益でない情報も含まれている。また、フリーペーパーに情報を掲載する企業にとっても、目的とする利用者のみならず、あまり情報を必要としない利用者に対しても情報を提供することになるので、効率よく情報を提供することが難しい。
【０００３】
そこで、例えば、利用者が画像形成装置により記録媒体の表面に画像を記録する際に、記録媒体の裏面に、利用者の個人情報に応じた情報を選択して記録する画像形成管理システムが提案されている（例えば、特許文献１参照）。これによれば、利用者の個人情報に応じた情報を選択して記録するので、効率よく情報を提供することができる。
【特許文献１】特開２００７−２６６８８４号公報
【発明の開示】
【発明が解決しようとする課題】
【０００４】
しかしながら、特許文献１に記載されたシステムでは、記録媒体に画像を記録する際に、利用者の個人情報に応じた情報を選択して記録するので、特定の画像形成装置が必要となり、広く一般の人が利用することは難しいという問題があった。よって、広く一般に必要な情報を必要な人に提供することが難しかった。
【０００５】
本発明は、このような問題に基づきなされたものであり、広く一般に対して利用者に適した情報を簡単に提供することができる記録媒体配付システムおよび記録媒体配付方法を提供することを目的とする。
【課題を解決するための手段】
【０００６】
本発明の記録媒体配付システムは、コンピュータネットワークを用いて記録媒体の配付を希望する利用者に記録媒体を配付するものであって、記録媒体の配付を希望する利用者から、記録媒体の配付注文の申し込みを受ける配付注文手段と、記録媒体の裏面に情報の掲載を希望する出稿者から、記録媒体への情報掲載の依頼の申し込みを受ける掲載依頼手段と、配付注文手段により受けた配付注文の申し込みと、掲載依頼手段により受けた掲載依頼の申し込みとについて、利用者の使用条件と出稿者の出稿条件とが一致するものを探し、一致するものが見つかった場合に、その配付注文および掲載依頼を受ける受付手段とを備えたものである。
【０００７】
本発明の記録媒体配付方法は、コンピュータネットワークを用いて記録媒体の配付を希望する利用者に記録媒体を配付するものであって、コンピュータにより、記録媒体の配付を希望する利用者から、記録媒体の配付注文の申し込みを受ける配付注文手順と、コンピュータにより、記録媒体の裏面に情報の掲載を希望する出稿者から、記録媒体への情報掲載の依頼の申し込みを受ける掲載依頼手順と、コンピュータにより、配付注文の申し込みと、掲載依頼の申し込みとについて、利用者の使用条件と出稿者の出稿条件とが一致するものを探し、一致するものが見つかった場合に、その配付注文および掲載依頼を受ける受付手順とを含むものである。
【発明の効果】
【０００８】
本発明の記録媒体配付システムおよび記録媒体配付方法によれば、配付注文の申し込みと、掲載依頼の申し込みとについて、利用者の使用条件と出稿者の出稿条件とが一致するものを探し、一致するものが見つかった場合に、その配付注文および掲載依頼を受けるようにしたので、利用者は記録媒体の配付注文をするだけで、利用者にとってより有益性の高い情報を容易に入手することができる。よって、出稿者は、広く一般に対して、利用者に適した情報を簡単に提供することができる。
【０００９】
特に、受付手段により、利用者の使用地域と出稿者の出稿地域、および利用者の業種・業態のうちの少なくとも一方の条件が一致するものを探すようにすれば、地域または業種・業態に密着した利用者にとってより有益な情報を効率よく提供することができる。
【００１０】
また、配付注文の申し込みについて掲載依頼申し込みテーブルを参照して利用者の使用条件と出稿者の出稿条件とが一致するものを検索し、一致するものが見つかった場合に、その配付注文を受け付け、一致するものが見つからなかった場合には、配付注文申し込みテーブルに記録し、また、掲載依頼の申し込みについて配付注文申し込みテーブルを参照して利用者の使用条件と出稿者の出稿条件とが一致するものを検索し、一致するものが見つかった場合に、その掲載依頼を受け付け、一致するものが見つからなかった場合には、掲載依頼テーブルに記録するようにすれば、条件が一致するものを容易に見つけることができ、迅速に配付注文および掲載依頼を受け付けることができる。
【００１１】
更に、出稿者からの要求に応じ、記録媒体の配付注文の申し込み状況を表示するようにすれば、出稿者は目的に応じた情報の提供をより容易にすることができる。
【００１２】
加えて、掲載依頼を受けた場合に出稿者に出稿料を課すようにすれば、利用者はより簡便に利用することができ、利用を促進することができる。よって、出稿者は、より効率的に情報を提供することができる。
【発明を実施するための最良の形態】
【００１３】
以下、本発明の実施の形態について図面を参照して詳細に説明する。
【００１４】
図１は、本発明の一実施の形態に係る記録媒体配付システム１をコンピュータネットワーク２に接続して用いる場合の一構成例を表すものである。記録媒体配付システム１は、サーバーとしての機能を有しており、紙などの記録媒体の配付を希望する利用者に記録媒体を配付するものである。コンピュータネットワーク２には、記録媒体配付システム１が接続されると共に、複数の利用者の端末３および複数の出稿者の端末４が接続され、必要に応じて管理者の端末５も接続される。
【００１５】
図２は、記録媒体配付システム１の概略構成を表すものである。記録媒体配付システム１は、外部からの要求に応じてプログラムを実行可能な通常のコンピュータとしてのハードウエア構成を有しており、例えば、配付注文手段１０と、掲載依頼手段２０と、受付手段３０と、注文状況表示手段４０と、課金手段５０とを備えている。
【００１６】
配付注文手段１０は、記録媒体の配付を希望する利用者から記録媒体の配付注文の申し込みを受けるものであり、利用者の登録を受け付ける利用者登録手段１１と、利用者に関する情報を記憶する利用者テーブル１２と、利用者のログインを受ける利用者ログイン手段１３とを有している。
【００１７】
利用者登録手段１１は、例えば、利用者に関する情報を利用者テーブル１２に記録するものである。具体的には、例えば、利用者の端末３からの要求に応じて、利用者の端末３に、利用者に関する情報の入力を求める利用者登録画面を表示し、利用者の端末３から送信されてきた利用者の情報を利用者情報テーブル１２に記録し、また、会員ＩＤおよびパスワードを発行して利用者情報テーブル１２に記録すると共に、利用者の端末３に表示する機能を有している。
【００１８】
利用者登録画面は、例えば、図３に示したように、利用者名、住所、連絡先、利用者の区分、記録媒体を使用する使用地域、業種・業態、記録媒体の月間平均使用枚数、資本金、年商、および従業員数などを入力する欄を有している。連絡先としては、例えば、電話番号、ファクシミリ番号、メールアドレス、担当部署、および担当者などが挙げられる。利用者の区分は、法人、公的機関、個人事業主、個人などの区分であり、予め設定された区分の中から選択して入力するようになっていることが好ましい。使用地域は、利用者が記録媒体を使用する地域であり、予め設定された地域の中から選択して入力するようになっていることが好ましい。業種・業態についても、予め設定された業種・業態の中から選択して入力するようになっていることが好ましい。任意の入力を認めると、分類が複雑となってしまうからである。このうち、使用地域および業種・業態は、例えば、受付手段３０において利用者の使用条件として使用する項目であり、必須の入力項目として、少なくとも一方が入力されない場合には登録を受け付けないように構成されることが好ましい。また、利用者名および住所も必須の入力項目とされることが好ましい。
【００１９】
利用者テーブル１２は、項目として、例えば、利用者名、住所、連絡先、区分、使用地域、業種・業態、月間平均使用枚数、資本金、年商、従業員数、会員ＩＤ、およびパスワードなどを含んでいる。
【００２０】
利用者ログイン手段１３は、例えば、利用者からのログインを記録媒体の配付注文の申し込みとして受けるものである。具体的には、例えば、利用者の端末３からの要求に応じて、利用者の端末３に、会員ＩＤおよびパスワードの入力を求めるログイン画面を表示し、利用者の端末３から送信されてきた会員ＩＤおよびパスワードについて利用者テーブル１２を参照して照合し、会員ＩＤおよびパスワードが一致したときに、配付注文を申し込むログインの許可をする機能を有している。
【００２１】
掲載依頼手段２０は、記録媒体の裏面に情報の掲載を希望する出稿者から記録媒体への情報掲載の依頼の申し込みを受けるものであり、出稿者の登録を受け付ける出稿者登録手段２１と、出稿者に関する情報を記憶する出稿者テーブル２２と、出稿者のログインを受ける出稿者ログイン手段２３と、出稿条件を入力する出稿条件入力手段２４とを有している。
【００２２】
出稿者登録手段２１は、例えば、出稿者に関する情報を出稿者テーブル２２に記録するものである。具体的には、例えば、出稿者の端末４からの要求に応じて、出稿者の端末４に、出稿者に関する情報の入力を求める出稿者登録画面を表示し、出稿者の端末４から送信されてきた出稿者の情報を出稿者情報テーブル２２に記録し、また、会員ＩＤおよびパスワードを発行して出稿者情報テーブル２２に記録すると共に、出稿者の端末４に表示する機能を有している。
【００２３】
出稿者登録画面は、例えば、図４に示したように、出稿者名、住所、連絡先、出稿者の区分、業種・業態、資本金、年商、および従業員数などを入力する欄を有している。連絡先としては、例えば、電話番号、ファクシミリ番号、メールアドレス、担当部署、および担当者などが挙げられる。出稿者の区分は、法人、公的機関、個人事業主、個人などの区分であり、予め設定された区分の中から選択して入力するようになっていることが好ましい。業種・業態についても、予め設定された業種・業態の中から選択して入力するようになっていることが好ましい。なお、出稿者情報のうち、出稿者名、住所、および連絡先は必須の入力項目とし、これらの入力がされない場合には、登録を受け付けないように構成されていることが好ましい。
【００２４】
出稿者テーブル２２は、項目として、例えば、出稿者名、住所、連絡先、区分、業種・業態、資本金、年商、従業員数、会員ＩＤ、およびパスワードなどを含んでいる。
【００２５】
出稿者ログイン手段２３は、例えば、出稿者の端末４からの要求に応じて、出稿者の端末４に、会員ＩＤおよびパスワードの入力を求めるログイン画面を表示し、出稿者の端末４から送信されてきた会員ＩＤおよびパスワードについて出稿者テーブル２２を参照して照合し、会員ＩＤおよびパスワードが一致したときに、掲載依頼を申し込むログインの許可をする機能を有している。
【００２６】
出稿条件入力手段２４は、例えば、ログインが許可された出稿者の端末４からの要求に応じて、出稿者の端末４に、受付手段３０において使用する出稿条件の入力を求める出稿条件画面を表示し、出稿者の端末４から送信されてきた出稿条件を掲載依頼の申し込みとして受ける機能を有している。出稿条件画面は、例えば、図５に示したように、記録媒体を配付する出稿地域および利用者の業種・業態などを入力する欄を有している。出稿地域は、情報を掲載した記録媒体を配付する地域であり、予め設定された地域の中から選択して入力するようになっていることが好ましい。利用者の業種・業態は、情報を掲載した記録媒体を配付する利用者の業種・業態であり、予め設定された業種・業態の中から選択して入力するようになっていることが好ましい。任意の入力を認めると、分類が複雑となってしまうからである。なお、出稿条件のうち、出稿地域および利用者の業種・業態のうちの少なくとも一方は必須の入力項目とし、これらの入力がされない場合には、申し込みを受け付けないように構成されていることが好ましい。
【００２７】
受付手段３０は、配付注文手段１０により受けた配付注文の申し込みと、掲載依頼手段２０により受けた掲載依頼の申し込みとについて、利用者の使用条件と出稿者の出稿条件とが一致するものを探し、一致するものが見つかった場合に、その配付注文および掲載依頼を受けるものである。受付手段３０は、例えば、配付注文の申し込みを記憶する配付注文申し込みテーブル３１と、掲載依頼の申し込みを記憶する掲載依頼申し込みテーブル３２と、配付注文手段１０により受けた配付注文の申し込みについて、掲載依頼手段２０により受けた掲載依頼から条件が一致するものを探す配付注文受付手段３３、掲載依頼手段２０により受けた掲載依頼の申し込みについて、配付注文手段１０により受けた配付注文から条件が一致するものを探す掲載依頼受付手段３４とを有している。
【００２８】
配付注文申し込みテーブル３１は、項目として、例えば、利用者名、使用地域、利用者の業種・業態、申し込み年月日、配付を希望する記録媒体の種類、およびその枚数を含んでいる。
【００２９】
掲載依頼申し込みテーブル３２は、項目として、例えば、出稿者名、出稿地域、記録媒体を配付する利用者の業種・業態、申し込み年月日、出稿を希望する記録媒体の種類、およびその枚数を含んでいる。
【００３０】
配付注文受付手段３３は、例えば、利用者ログイン手段１３によりログインが許可された利用者について、利用者テーブル１２を参照して、使用条件を読み出すと共に、掲載依頼申し込みテーブル３２を参照して、利用者の使用条件と出稿者の出稿条件とが一致するものを検索する機能を有している。また、条件が一致するものが見つかった場合には、例えば、利用者の端末３に配付注文を受け付ける旨の表示をし、配付を希望する記録媒体の種類および枚数の入力を求めて配付注文を受け付け、条件が一致するものが見つからなかった場合には、例えば、利用者の端末３に現在は出稿者がいない旨および一致する掲載依頼の申し込みがあった場合には連絡する旨の表示をし、配付を希望する記録媒体の種類および枚数の入力を求めて、配付注文申し込みテーブル３１に配付注文の申し込みを記録する機能を有している。配付注文申し込みテーブル３１に記録する内容としては、例えば、利用者名、使用地域、利用者の業種・業態、申し込み年月日、配付を希望する記録媒体の種類、およびその枚数が挙げられる。
【００３１】
掲載依頼受付手段３４は、例えば、出稿条件入力手段２４により出稿条件を受けた掲載依頼の申し込みについて、配付注文申し込みテーブル３１を参照して、利用者の使用条件と出稿者の出稿条件とが一致するものを検索する機能を有している。また、条件が一致するものが見つかった場合には、例えば、出稿者の端末４に掲載依頼を受け付ける旨の表示をし、掲載を希望する記録媒体の種類および枚数の入力を求めて掲載依頼を受け付け、条件が一致するものが見つからなかった場合には、例えば、出稿者の端末４に現在は配付先がない旨および配付注文の申し込みがあった場合には連絡する旨の表示をし、掲載を希望する記録媒体の種類および枚数の入力を求めて、掲載依頼申し込みテーブル３２に掲載依頼の申し込みを記録する機能を有している。掲載依頼申し込みテーブル３２に記録する内容としては、例えば、出稿者名、出稿地域、記録媒体を配付する利用者の業種・業態、申し込み年月日、出稿を希望する記録媒体の種類、およびその枚数が挙げられる。
【００３２】
なお、配付注文受付手段３３および掲載依頼受付手段３４では、利用者の使用条件として使用地域および利用者の業種・業態の少なくとも一方を用い、出稿者の出稿条件として出稿地域および利用者の業種・業態の少なくとも一方を用いて、利用者の使用地域と出稿者の出稿地域、および利用者の業種・業態のうちの少なくとも一方の条件が一致するものを探すように構成されていることが好ましい。地域または業種・業態に密着したより有益な情報を効率よく提供することができるからである。
【００３３】
また、受付手段３０は、掲載依頼受付手段３４により条件が一致するものが見つかった場合に、記録媒体に掲載する情報の原稿を受け付ける原稿受付手段３５を有していてもよい。原稿受付手段３５は、例えば、既に登録されている原稿を用いる場合、原稿の作成を依頼する場合、サンプルを利用して原稿を作成する簡易作成機能を利用する場合など、場合に分けて原稿を受け付ける機能を有していることが好ましい。
【００３４】
注文状況表示手段４０は、記録媒体の配付注文の申し込み状況を表示するものである。具体的には、例えば、ログインが許可された出稿者の端末４からの要求に応じて、配付注文申し込みテーブル３１を参照し、出稿者の端末４に配付注文の申し込み状況を表示する機能を有している。これにより、出稿者は、目的に応じてより容易に情報の提供をすることができるからである。表示内容としては、例えば、配付注文の申し込みをしている利用者の使用地域および業種・業態などの使用条件、記録媒体の種類、並びに枚数などが挙げられる。
【００３５】
課金手段５０は、受付手段３０により配付注文および掲載依頼を受け付けた場合に、出稿者に出稿料を課すものである。具体的には、例えば、掲載依頼受付手段３４により掲載依頼を受け付けた場合に、出稿枚数などに応じて、出稿者に出稿料を課し、課金テーブル５１に記録する機能を有している。課金テーブル５１は、例えば、管理者の端末５から見ることができるようになっている。
【００３６】
図６は、記録媒体配付システム１による記録媒体配付方法の全体の手順を表すものである。この記録媒体配付方法は、例えば、配付注文手段１０による配付注文手順（ステップＳ１００）と、掲載依頼手段２０による掲載依頼手順（ステップＳ２００）と、受付手段３０による受付手順（ステップＳ３００）とを含んでおり、必要に応じて、注文状況表示手段４０による注文状況表示手順（ステップＳ４００）と、課金手段５０による課金手順（ステップＳ５００）とを含んでいてもよい。
【００３７】
図７は、配付注文手順（ステップＳ１００）における手順を表すものであり、利用者登録手順（ステップＳ１１０）と、利用者ログイン手順（ステップＳ１２０）とを含んでいる。利用者登録手順（ステップＳ１１０）は、利用者が初めて利用する場合に利用者登録手段１１により行われる手順である。利用者ログイン手順（ステップＳ１２０）は、既に利用者登録を済ませた利用者が配付注文を申し込む場合に利用者ログイン手段１３により行われる手順である。
【００３８】
図８は、利用者登録手順（ステップＳ１１０）における手順を具体的に表すものである。利用者登録手順（ステップＳ１１０）においては、まず、利用者の端末３からの要求に応じて、利用者の端末３に、例えば図３に示したような利用者登録画面を表示する（ステップＳ１１１）。次いで、利用者の端末３から利用者の情報が入力されると（ステップＳ１１２；Ｙ）、例えば必須の入力項目が入力されているか否かを確認する（ステップＳ１１３）。必須の入力項目としては、例えば、利用者名、住所および使用条件が挙げられ、使用条件としては、例えば、使用地域および利用者の業種・業態のうちの少なくとも一方が必須入力項目とされる。
【００３９】
必須入力項目が入力されていない場合には、（ステップＳ１１３；Ｎ）、利用者の登録を受け付けずに必須入力項目の入力を求める（ステップＳ１１４）。必須入力項目が入力された場合には（ステップＳ１１３；Ｙ）、会員ＩＤおよびパスワードを発行し（ステップＳ１１５）、利用者の端末３に表示する（ステップＳ１１６）。続いて、送信されてきた利用者の情報と、発行した会員ＩＤおよびパスワードを利用者テーブル１２に記録する（ステップＳ１１７）。
【００４０】
図９は、利用者ログイン手段（ステップＳ１２０）における手順を具体的に表すものである。利用者ログイン手段（ステップＳ１２０）においては、まず、利用者の端末３からの要求に応じて、利用者の端末３に、会員ＩＤおよびパスワードの入力を求めるログイン画面を表示する（ステップＳ１２１）。次いで、利用者の端末３から会員ＩＤおよびパスワードが入力されると（ステップＳ１２２；Ｙ）、利用者テーブル１２を参照して会員ＩＤおよびパスワードが一致するものを探す（ステップＳ１２３）。一致するものが見つからなかった場合には（ステップＳ１２４；Ｎ）、会員ＩＤおよびパスワードの再入力を求める（ステップＳ１２５）。一致するものが見つかった場合には（ステップＳ１２４；Ｙ）、ログインを許可し（ステップＳ１２６）、受付手順（ステップＳ３００）に進む。
【００４１】
図１０は、掲載依頼手順（ステップＳ２００）における手順を表すものであり、出稿者登録手順（ステップＳ２１０）と、出稿者ログイン手順（ステップＳ２２０）と、出稿条件入力手順（ステップＳ２３０）とを含んでいる。出稿者登録手順（ステップＳ２１０）は、出稿者が初めて掲載依頼をする場合に出稿登録手段２１により行われる手順である。出稿者ログイン手順（ステップＳ２２０）は、既に出稿者登録を済ませた出稿者が掲載依頼を申し込む場合に出稿者ログイン手段２３により行われる手順である。出稿条件入力手順（ステップＳ２３０）は、出稿者がログインした後に出稿条件入力手段２４により行われる手順である。
【００４２】
図１１は、出稿者登録手順（ステップＳ２１０）における手順を具体的に表すものである。出稿者登録手順（ステップＳ２１０）においては、まず、出稿者の端末４からの要求に応じて、出稿者の端末４に、例えば図４に示したような出稿者登録画面を表示する（ステップＳ２１１）。次いで、出稿者の端末４から出稿者の情報が入力されると（ステップＳ２１２；Ｙ）、例えば必須の入力項目が入力されているか否かを確認する（ステップＳ２１３）。必須の入力項目としては、例えば、利用者名、住所および連絡先が挙げられる。
【００４３】
必須入力項目が入力されていない場合には（ステップＳ２１３；Ｎ）、出稿者の登録を受け付けずに必須入力項目の入力を求める（ステップＳ２１４）。必須入力項目が入力された場合には（ステップＳ２１３；Ｙ）、会員ＩＤおよびパスワードを発行し（ステップＳ２１５）、出稿者の端末４に表示する（ステップＳ２１６）。続いて、送信されてきた出稿者の情報と、発行した会員ＩＤおよびパスワードを出稿者テーブル２２に記録する（ステップＳ２１７）。
【００４４】
図１２は、出稿者ログイン手段（ステップＳ２２０）における手順を具体的に表すものである。出稿者ログイン手段（ステップＳ２２０）においては、まず、出稿者の端末４からの要求に応じて、出稿者の端末４に、会員ＩＤおよびパスワードの入力を求めるログイン画面を表示する（ステップＳ２２１）。次いで、出稿者の端末４から会員ＩＤおよびパスワードが入力されると（ステップＳ２２２；Ｙ）、出稿者テーブル２２を参照して会員ＩＤおよびパスワードが一致するものを探す（ステップＳ２２３）。一致するものが見つからなかった場合には（ステップＳ２２４；Ｎ）、会員ＩＤおよびパスワードの再入力を求める（ステップＳ２２５）。一致するものが見つかった場合には（ステップＳ２２４；Ｙ）、ログインを許可し（ステップＳ２２６）、出稿条件入力手順（ステップＳ２３０）に進む。
【００４５】
図１３は、出稿条件入力手順（ステップＳ２３０）における手順を具体的に表すものである。出稿条件入力手順（ステップＳ２３０）においては、まず、出稿者ログイン手順（ステップＳ２２０）によりログインが許可された出稿者の端末４からの要求に応じて、出稿者の端末４に、例えば図５に示したような出稿条件画面を表示する（ステップＳ２３１）。次いで、出稿者の端末４から出稿条件が入力されると（ステップＳ２３２；Ｙ）、例えば必須の入力項目が入力されているか否かを確認する（ステップＳ２３３）。必須の入力項目としては、例えば、出稿地域および利用者の業種・業態のうちの少なくとも一方が挙げられる。必須の入力項目が入力されていない場合には、（ステップＳ３３３；Ｎ）、必須入力項目の入力を求める（ステップＳ２３４）。必須入力項目が入力された場合には（ステップＳ２３３；Ｙ）、受付手順（ステップＳ３００）に進む。
【００４６】
図１４は、受付手順（ステップＳ３００）における手順を表すものであり、配付注文受付手順（ステップＳ３１０）と、掲載依頼受付手順（ステップＳ３２０）と、必要に応じて原稿受付手順（ステップＳ３３０）とを含んでいる。配付注文受付手順（ステップＳ３１０）は、配付注文受付手段３３により行われる手順であり、掲載依頼受付手順（ステップＳ３２０）は、掲載依頼受付手順３４により行われる手順であり、原稿受付手順（ステップＳ３３０）は、原稿受付手段３５により行われる手順である。
【００４７】
図１５は、配付注文受付手順（ステップＳ３１０）における手順を具体的に表すものである。配付注文受付手順（ステップＳ３１０）においては、まず、利用者ログイン手段（ステップＳ１２０）によりログインが許可された利用者について、利用者テーブル１２を参照して、使用条件を読み出す（ステップＳ３１１）。次いで、掲載依頼申し込みテーブル３２を参照して、出稿者の出稿条件が利用者の使用条件と一致するものを検索する（ステップＳ３１２）。例えば、利用者の使用地域と出稿者の出稿地域、および利用者の業種・業態のうちの少なくとも一方が一致するものを検索する。
【００４８】
一致するものが見つかった場合には（ステップＳ３１３；Ｙ）、利用者の端末３に配付注文を受け付ける旨、並びに、配付を希望する記録媒体の種類および枚数の入力を求める表示をする(ステップＳ３１４)。入力がされると（ステップＳ３１５；Ｙ）、利用者の端末３に配付注文内容を確認する表示をし、配付注文を受け付ける（ステップＳ３１６）。一致するものが見つからなかった場合には（ステップＳ３１３；Ｎ）、利用者の端末３に、現在は出稿者がいないので条件が一致する掲載依頼の申し込みがあった時に連絡する旨、および、配付を希望する記録媒体の種類および枚数の入力を求める表示をする（ステップＳ３１７）。入力がされると（ステップＳ３１８；Ｙ）、配付注文申し込みテーブル３１に配付注文の申し込みを記録する（ステップＳ３１９）。
【００４９】
図１６は、掲載依頼受付手順（ステップＳ３２０）における手順を具体的に表すものである。掲載依頼受付手順（ステップＳ３２０）においては、まず、配付注文申し込みテーブル３１を参照して、出稿条件入力手順（ステップＳ２３０）により入力された出稿条件と利用者の使用条件が一致するものを検索する（ステップＳ３２１）。例えば、利用者の使用地域と出稿者の出稿地域、および利用者の業種・業態のうちの少なくとも一方が一致するものを検索する。
【００５０】
一致するものが見つかった場合には（ステップＳ３２２；Ｙ）、出稿者の端末４に掲載依頼を受け付ける旨、並びに、掲載を希望する記録媒体の種類および枚数の入力を求める表示をする(ステップＳ３２３)。入力がされると（ステップＳ３２４；Ｙ）、出稿者の端末４に掲載依頼内容を確認する表示をし、掲載依頼を受け付けて（ステップＳ３２５）、例えば原稿受付手順（ステップＳ３３０）または課金手順（ステップＳ５００）に進む。一致するものが見つからなかった場合には（ステップＳ３２２；Ｎ）、出稿者の端末４に、現在は配付先がいないので条件が一致する配付注文の申し込みがあった時に連絡する旨、および、掲載を希望する記録媒体の種類および枚数の入力を求める表示をする（ステップＳ３２６）。入力がされると（ステップＳ３２７；Ｙ）、掲載依頼申し込みテーブル３２に掲載依頼の申し込みを記録する（ステップＳ３２８）。
【００５１】
原稿受付手順（ステップＳ３３０）においては、例えば、出稿者の端末４に、記録媒体に掲載する情報の原稿について、例えば、既に登録されている原稿を用いる、原稿の作成を依頼する、サンプルを利用して原稿を作成する簡易作成機能を利用するなどの選択肢を表示して選択を求め、選択肢に応じた処理を行う。例えば、既に登録されている原稿を用いる場合には、原稿の登録番号などの入力を求め、原稿の作成を依頼する場合には、依頼先の入力を求め、簡易作成機能を利用する場合には、簡易作成機能に移行する。
【００５２】
注文状況表示手順（ステップＳ４００）においては、例えば、出稿者ログイン手順（ステップＳ２２０）によりログインが許可された出稿者の端末４からの要求に応じて、配付注文申し込みテーブル３１を参照し、出稿者の端末４に、配付注文申し込み状況を表示する。
【００５３】
課金手順（ステップＳ５００）においては、例えば、掲載依頼手順（ステップＳ３２０）により掲載依頼を受けた場合に、出稿者に出稿料を課し、課金テーブル５１に記録する。
【００５４】
このように本実施の形態によれば、受付手段３０により、配付注文の申し込みと、掲載依頼の申し込みとについて、利用者の使用条件と出稿者の出稿条件とが一致するものを探し、一致するものが見つかった場合に、その配付注文および掲載依頼を受けるようにしたので、利用者は記録媒体の配付注文をするだけで、利用者にとってより有益性の高い情報を容易に入手することができる。よって、出稿者は、広く一般に対して、利用者に適した情報を簡単に提供することができる。
【００５５】
特に、受付手段３０により、利用者の使用地域と出稿者の出稿地域、および利用者の業種・業態のうちの少なくとも一方の条件が一致するものを探すようにすれば、地域または業種・業態に密着した利用者にとってより有益な情報を効率よく提供することができる。
【００５６】
また、配付注文の申し込みについて掲載依頼申し込みテーブル３２を参照して利用者の使用条件と出稿者の出稿条件とが一致するものを検索し、一致するものが見つかった場合に、その配付注文を受け付け、一致するものが見つからなかった場合には、配付注文申し込みテーブル３１に記録し、また、掲載依頼の申し込みについて配付注文申し込みテーブル３１を参照して利用者の使用条件と出稿者の出稿条件とが一致するものを検索し、一致するものが見つかった場合に、その掲載依頼を受け付け、一致するものが見つからなかった場合には、掲載依頼テーブル３２に記録するようにすれば、条件が一致するものを容易に見つけることができ、迅速に配付注文および掲載依頼を受け付けることができる。
【００５７】
更に、注文状況表示手段４０により、出稿者からの要求に応じ、記録媒体の配付注文の申し込み状況を表示するようにすれば、出稿者は目的に応じた情報の提供をより容易にすることができる。
【００５８】
加えて、課金手段５０により、掲載依頼を受け付けた場合に出稿者に出稿料を課すようにすれば、利用者はより簡便に利用することができ、利用を促進することができる。よって、出稿者は、より効率的に情報を提供することができる。
【００５９】
以上、実施の形態を挙げて本発明を説明したが、本発明は上記実施の形態に限定されるものではなく、種々変形可能である。例えば、本発明の記録媒体配付システムは、上記実施の形態において説明した全ての手段または全ての機能を備えていなくてもよく、また、他の手段または他の機能を備えていてもよい。更に、本発明の記録媒体配付方法は、上記実施の形態において説明した全ての手順を備えていなくてもよく、また、他の手順を備えていてもよい。
【００６０】
また、上記実施の形態では、使用条件として、利用者の使用地域および利用者の業種・業態のうちの少なくとも一方を用い、出稿条件として、出稿者の出稿地域および利用者の業種・業態のうちの少なくとも一方を用いるようにしたが、他の使用条件および出稿条件を用いてもよい。
【００６１】
更に、上記実施の形態では、配付注文手段１０、掲載依頼手段２０、受付手段３０、注文状況表示手段４０、課金手段５０の具体的な構成について説明したが、それぞれの機能を達成することができれば、他の構成を有していてもよい。
【産業上の利用可能性】
【００６２】
コンピュータネットワークを利用して紙などの記録媒体の配布を希望する利用者に記録媒体を配付する場合に用いることができる。
【図面の簡単な説明】
【００６３】
【図１】本発明の一実施の形態に係る記録媒体配付システムをコンピュータネットワークに接続して用いる場合の一構成図である。
【図２】本発明の一実施の形態に係る記録媒体配付システムの概略構成図である。
【図３】図２に示した利用者登録手段により表示する利用者登録画面の一構成図である。
【図４】図２に示した出稿者登録手段により表示する出稿者登録画面の一構成図である。
【図５】図２に示した出稿条件入力手段により表示する出稿条件画面の一構成図である。
【図６】図２に示した記録媒体配付システムによる記録媒体配付方法の手順を表す流れ図である。
【図７】図６に示した記録媒体配付方法における配付注文手順を表す流れ図である。
【図８】図７に示した利用者登録手順を表す流れ図である。
【図９】図７に示した利用者ログイン手順を表す流れ図である。
【図１０】図６に示した記録媒体配付方法における掲載依頼手順を表す流れ図である。
【図１１】図１０に示した出稿者登録手順を表す流れ図である。
【図１２】図１０に示した出稿者ログイン手順を表す流れ図である。
【図１３】図１０に示した出稿条件入力手順を表す流れ図である。
【図１４】図６に示した記録媒体配付方法における受付手順を表す流れ図である。
【図１５】図１４に示した配付注文受付手順を表す流れ図である。
【図１６】図１４に示した掲載依頼受付手順を表す流れ図である。
【符号の説明】
【００６４】
１…記録媒体配付システム、２…コンピュータネットワーク、３…利用者の端末、４…出稿者の端末、５…管理者の端末、１０…配付注文手段、１１…利用者登録手段、１２…利用者テーブル、１３…利用者ログイン手段、２０…掲載依頼手段、２１…出稿者登録手段、２２…出稿者テーブル、２３…出稿者ログイン手段、２４…出稿条件入力手段、３０…受付手段、３１…配付注文申し込みテーブル、３２…掲載依頼申し込みテーブル、３３…配付注文受付手段、３４…掲載依頼受付手段、３５…原稿受付手段、４０…注文状況表示手段、５０…課金手段、５１…課金テーブル
【図１】
2010026612.tif 000003
【図２】
2010026612.tif 000004
【図３】
2010026612.tif 000005
【図４】
2010026612.tif 000006
【図５】
2010026612.tif 000007
【図６】
2010026612.tif 000008
【図７】
2010026612.tif 000009
【図８】
2010026612.tif 000010
【図９】
2010026612.tif 000011
【図１０】
2010026612.tif 000012
【図１１】
2010026612.tif 000013
【図１２】
2010026612.tif 000014
【図１３】
2010026612.tif 000015
【図１４】
2010026612.tif 000016
【図１５】
2010026612.tif 000017
【図１６】
2010026612.tif 000018